(57)【要約】【課題】本発明は、吸い込み穴と排水穴の回転方向に亘る角度を大きくすることなく、ポンプ性能の向上を計ることにある。【解決手段】本発明は、電動機の回転軸に支持される洗浄ポンプランナーと排水ポンプランナーが、隔壁板を間にして背中合わせに置かれ、排水ポンプランナーは、円盤状の羽根基板と、隔壁板の反対側にあたる羽根基板の中央に軸方向に隆起する中央ボス部と、隔壁板の反対側にあたる羽根基板の側面に軸方向に延び、かつ中央ボス部から外周方向に延びる複数の遠心羽根を有し、吸い込み口の吸い込み穴は、排水ポンプケーシングの側面側で、かつ隔壁板の反対側になる位置に設けたことを特徴とする。【選択図】  図1
2005270245.tif 000002
【特許請求の範囲】
【請求項１】
洗浄ポンプケーシング内に洗浄ポンプランナーを備える洗浄ポンプと、排水ポンプケーシング内に排水ポンプランナーを備える排水ポンプと、前記洗浄ポンプランナーおよび前記排水ポンプランナーを回転駆動する電動機とを有し、
前記洗浄ポンプと前記排水ポンプを隣合わせ、かつ前記電動機を排水ポンプの隣側に配置し、
前記洗浄ポンプケーシング内と前記排水ポンプケーシング内を隔離し隔壁板を有し、
前記排水ポンプケーシングには、吸い込み口と排出口を設け、
前記吸い込み口の吸い込み穴のと前記排出口の排出穴は、排水ポンプランナーの回転中心を中心とした排水ポンプランナーの回転方向での角度θが約１８０度以下に配置されていることを特徴とする食器洗浄機の洗浄兼排水ポンプにあって、
前記電動機の回転軸に支持される前記洗浄ポンプランナーと排水ポンプランナーは、前記隔壁板を間にして背中合わせに置かれ、
前記排水ポンプランナーは、円盤状の羽根基板と、前記隔壁板の反対側にあたる羽根基板の中央に軸方向に隆起する中央ボス部と、前記隔壁板の反対側にあたる前記羽根基板の側面に軸方向に延び、かつ前記中央ボス部から外周方向に延びる複数の遠心羽根を有し、
前記吸い込み口の吸い込み穴は、前記排水ポンプケーシングの側面側で、かつ前記隔壁板の反対側になる位置に設けたことを特徴とする食器洗浄機の洗浄兼排水ポンプ。
【請求項２】
請求項１記載の食器洗浄機の洗浄兼排水ポンプにおいて、
前記吸い込み穴の開口面積が前記排出穴の開口面積よりも大きいことを特徴とする洗浄機の洗浄兼排水ポンプ。
【請求項３】
請求項１記載の食器洗浄機の洗浄兼排水ポンプにおいて、
前記吸い込み穴は、排水ポンプランナーの回転軸方向から見た形状がほぼ三角形であることを特徴とする食器洗浄機の洗浄兼排水ポンプ。
【請求項４】
洗浄ポンプケーシング内に洗浄ポンプランナーを備える洗浄ポンプと、排水ポンプケーシング内に排水ポンプランナーを備える排水ポンプと、前記洗浄ポンプランナーおよび前記排水ポンプランナーを回転駆動する電動機とを有し、
前記洗浄ポンプと前記排水ポンプを隣合わせ、かつ前記電動機を排水ポンプの隣側に配置し、
前記洗浄ポンプケーシング内と前記排水ポンプケーシング内を隔離する隔壁板を有する食器洗浄機の洗浄兼排水ポンプにあって、
前記隔壁板の中央には、前記洗浄ポンプケーシングと前記排水ポンプケーシングに突き出るように軸方向に延びた円筒体を設け、
前記電動機の回転軸に支持される前記洗浄ポンプランナーと排水ポンプランナーは、前記隔壁板を間にして背中合わせに置かれ、
前記排水ポンプランナーは、円盤状の羽根基板と、前記隔壁板の反対側にあたる羽根基板の中央に軸方向に隆起する中央ボス部と、前記隔壁板の反対側にあたる前記羽根基板の側面に軸方向に延び、かつ前記中央ボス部から外周方向に延びる複数の遠心羽根を有し、
前記中央ボス部は前記排水ポンプケーシング側に突き出た前記円筒体のところが挿入されるラビリンス溝を有し、
前記洗浄ポンプランナーの中央ボス部に設けた軸支持筒が前記洗浄ポンプケーシングに突き出たところの前記円筒体に内置され、かつ円筒体の洗浄ポンプケーシング端部側にラビリンス手段を設けたことを特徴とする食器洗浄機の洗浄兼排水ポンプ。
【請求項５】
請求項１または４記載の食器洗浄機の洗浄兼排水ポンプにおいて、
前記洗浄ポンプランナーは前記回転軸に回り止めされ、前記洗浄ポンプランナーと排水ポンプランナーは、相互に回り止めされていることを特徴とする食器洗浄機の洗浄兼排水ポンプ。
【請求項６】
請求項１または４記載の食器洗浄機の洗浄兼排水ポンプにおいて、
前記排水ポンプケーシングは、ケーシング外周部と、ケーシング側部とを有し、
前記ケーシング側部の中央には、前記隔壁板から離れる方向に向かって延びるシール支持筒部を設け、前記回転軸の外周に摺接するシール部材を前記シール支持筒部に保持し、
前記シール支持筒部は、前記排水ポンプランナーに対面する内径縁に環状突起を有し、
前記遠心羽根の内周径が前記環状突起の外径よりも大きいことを特徴とする食器洗浄機の洗浄兼排水ポンプ。
【請求項７】
請求項６記載の食器洗浄機の洗浄兼排水ポンプにおいて、
前記遠心羽根が前記中央ボス部よりも前記シール支持筒部に向けて突き出ていることを特徴とする食器洗浄機の洗浄兼排水ポンプ。
【発明の詳細な説明】
【技術分野】
【０００１】
本発明は食器洗浄機の洗浄兼排水ポンプに関し、更に詳しくは、排水ポンプの性能向上に関する。
【背景技術】
【０００２】
食器洗浄機の洗浄兼排水ポンプは、隔壁板を介して洗浄ポンプと排水ポンプが背中合わせに配置されている。この洗浄兼排水ポンプは、特開２００１−２１８７２２号公報（特許文献１）に示されている。
【０００３】
【特許文献１】特開２００１−２１８７２２号公報
【発明の開示】
【発明が解決しようとする課題】
【０００４】
洗浄兼排水ポンプの排水ポンプは、遠心型に類するポンプで、排水ポンプケーシングに吸い込み口と排出口が設けられている。そして、吸い込み口の吸い込み穴と排出口の排水穴は、排水ポンプランナーの回転中心を中心とした排水ポンプランナーの回転方向に亘る角度θが約１８０度より小さく配置されている。
【０００５】
この排水ポンプは、吸い込み穴と排水穴の回転方向に亘る角度θを大きくすると、排水ポンプランナーによる加速距離が増してポンプ性能が向上する。しかし、洗浄兼排水ポンプは、食器洗い機の底側に配置されることもあって、その角度θは約１８０度程度より大きくできず、ほぼ９０°に近い構成となる。
【０００６】
本発明は、上記の問題に対処し、吸い込み穴と排水穴の回転方向に亘る角度を大きくすることなく、ポンプ性能の向上を計ることを目的とする。
【課題を解決するための手段】
【０００７】
本発明は、電動機の回転軸に支持される洗浄ポンプランナーと排水ポンプランナーが、隔壁板を間にして背中合わせに置かれ、排水ポンプランナーは、円盤状の羽根基板と、隔壁板の反対側にあたる羽根基板の中央に軸方向に隆起する中央ボス部と、隔壁板の反対側にあたる羽根基板の側面に軸方向に延び、かつ中央ボス部から外周方向に延びる複数の遠心羽根を有し、吸い込み口の吸い込み穴は、排水ポンプケーシングの側面側で、かつ隔壁板の反対側になる位置に設けたことを特徴とする。
【発明の効果】
【０００８】
本発明によれば、吸い込み穴と排水穴の回転方向に亘る角度を大きくすることなく、ポンプ性能の向上を計ることができる。
【発明を実施するための最良の形態】
【０００９】
本発明の実施形態を示す図１から図９に沿って説明する。
【００１０】
洗浄兼排水ポンプは、洗浄ポンプ１、排水ポンプ２、電動機３、および冷却ファン４を有する。洗浄ポンプ１と排水ポンプ２は、隔壁板５を介しての背中合わせに置かれる。
【００１１】
洗浄ポンプ１の洗浄ポンプランナー６と、排水ポンプ２の排水ポンプランナー７は、電動機３の回転軸８に固定支持される。電動機３は正逆転し、正転で洗浄ポンプ１がポンプとして機能し、逆転で排水ポンプ２がポンプとして機能するようになっている。
【００１２】
洗浄ポンプ１は、洗浄ポンプランナー６を内置する洗浄ポンプケーシング９を有する。洗浄ポンプケーシング９は、吸い込み口２０と排出口２１を有する。
【００１３】
洗浄ポンプランナー６は、羽根基板２２と、この羽根基板２２に対向するように置かれる案内板２３と、羽根基板２２と案内板２３との間に放射状に配置される複数の羽根２４を有する。案内板２３の中央には、ランナー吸い込み口２５を有する。洗浄ポンプランナー６の羽根基板２２は、中央に中央ボス部２６を有する。中央ボス部２６は、案内板２２の反対側（前記隔壁板５の方向）に向かって回転軸８に沿うように延びる軸支持筒２７を有する。
【００１４】
排水ポンプ２は、排水ポンプランナー７が内置かれる排水ポンプケーシング４０を有する。この排水ポンプケーシング４０と洗浄ポンプケーシング９は、合わせられる側が開口になっている。この合わされ開口のところに前記隔壁板５が置かれる。この隔壁板５で排水ポンプケーシング４０の内部と洗浄ポンプケーシング９の内部が仕切られ、洗浄ポンプランナー６と排水ポンプランナー７が隔壁板５を介して背中合わせに置かれる。
【００１５】
排水ポンプケーシング４０と洗浄ポンプケーシング９は、外周側が全周に亘り合わされる。隔壁板５の外周が全周に亘り、排水ポンプケーシング４０と洗浄ポンプケーシング９の外周側に挟持されるので、排水ポンプケーシング４０と洗浄ポンプケーシング９を抱き合わせることにより、隔壁板５も一緒に止められる。
【００１６】
隔壁板５は、中央に洗浄ポンプケーシング９と排水ポンプケーシング４０に突き出るように軸方向に延びた円筒体４１を有する。洗浄ポンプケーシング９の方に延びた円筒体４１のところには、前記軸支持筒２７が内置されるように挿入される。円筒体４１の洗浄ポンプケーシング端部側にラビリンス手段４２が設けられる。
【００１７】
このラビリンス手段４２は、図７に示すように内周リング４２ａと、内周リング４２ａの内周面中央に設けた小突起リング４２ｂを有する。小突起リング４２ｂは巾Ｔが約２ｍｍで、回転軸との隙間Ｇが約０．２５ｍｍである。
【００１８】
排水ポンプランナー７は、円盤状の羽根基板４３と、隔壁板５の反対側にあたる羽根基板４３の中央に軸方向に隆起する中央ボス部４４と、隔壁板５の反対側にあたる羽根基板４３の側面に軸方向に延び、かつ中央ボス部４４から外周方向に延びる複数の遠心羽根４５を有する。中央ボス部４４はラビリンス溝４６を有する。このラビリンス溝４６は、隔壁板５から軸方向に沿って中央ボス部４４の奥深く形成される。ラビリンス溝４６には、排水ポンプケーシング側に突き出た円筒体４１のところが挿入される。
【００１９】
このように、洗浄ポンプケーシング９と排水ポンプケーシング４０は隔壁板５で仕切られ、隔壁板５の回転部分側のシールは、ラビリンス溝４６と円筒体４１に形成されるラビリンス、円筒体４１のラビリンス手段４２で構成される。かかるラビリンスのシールにより、洗浄ポンプケーシング９と排水ポンプケーシング４０の間での通水は生じ難く、非接触のシールであるので、回転摩擦損失がない。
【００２０】
排水ポンプケーシング４０は、吸い込み口６０と排出口６１を有する。吸い込み口６０の吸い込み穴６２は、排水ポンプケーシング４０のケーシング側面部に設けられる。排出口６１の排出穴６３は、排水ポンプケーシング４０のケーシング外周部に設けられる。吸い込み穴６２と排出穴６３は、排水ポンプランナーの回転中心を中心とした排水ポンプランナーの回転方向での角度がθに配置されている。
【００２１】
吸い込み穴６２は、ケーシング外周とケーシング側面部に設けられているので、遠心羽根４５から直接吸い込みが行なわれる。すなわち、従来は排水ポンプケーシングのケーシング外周部、言い換えると、排水ポンプランナーの外周のところに吸い込まれる。これに対し、本発明の実施形態では排水ポンプランナー７の遠心羽根４の外周部および側面部分から吸い込まれるので、吸い込み側の流体抵抗が少なくなり強い吸い込みが得られる。このため、吸い込み量の増加が計られ、吸い込み穴と排水穴の回転方向に亘る角度を大きくすることなく、ポンプ性能の向上を計ることができる。
【００２２】
また、吸い込み穴６２は、排水ポンプランナー７の回転軸方向から見た形状がほぼ三角形である。この排水ポンプランナー７の回転方向に向かって開口面積が広がる吸い込み穴６２は、排出穴６３よりも大きな面積を有する。大きな開口面積の吸い込み穴６２が遠心羽根４の側面に対面しているので、吸い込み側の流体抵抗が少なくなり効率の良い吸い込みが行なわれる。
【００２３】
排水ポンプケーシング４０のケーシング側部の中央には、前記隔壁板５から離れる方向に向かって延びるシール支持筒部７０が設けられる。このシール支持筒部７０は、前記回転軸８の外周に摺接するシール部材７１を保持する。
【００２４】
シール支持筒部７０は、排水ポンプランナー７に対面する内径縁に環状突起７２を有する。遠心羽根４５は、中央ボス部４４よりもシール支持筒部７０に向けて突き出ている。遠心羽根４５の内周径は、前記環状突起７２の外径よりも大きい。
【００２５】
遠心羽根４５が中央ボス部４４よりも突出して、羽根基板４３からの丈が増すことに排水ポンプ２のポンプ性能が向上する。
【００２６】
また、シール支持筒部７０に環状突起７２を設けたので、この環状突起７２が障壁になって運転中におけるシール部材７１への水流や異物の回り込みが抑制される。
【００２７】
水流や異物の回り込みを抑制し、かつポンプ性能を高めるためには、遠心羽根４５の内周径側と前記環状突起７２の外径側とをできるだけラップさせることが望ましい。
【００２８】
図８、図９に基づき、洗浄ポンプランナーと排水ランナーとの回り止めに関する他の実施形態について説明する。
【００２９】
排水ポンプランナー７の軸方の位置決めをするストッパー７５が回転軸８に設けられる。ストッパー７５は、回転軸８の止めリング溝に嵌め込んで取り付けられる。
【００３０】
排水ポンプランナー７の中央ボス部４４の回転軸挿入穴７６は円形である。洗浄ポンプランナー６の軸支持筒２７の回転軸挿入穴は円形で、一部に回り止め偏平部７７を有する。
【００３１】
回転軸８は、先端側に小径部７８を有する。この小径部７８は円形で、抜け止めストッパー７９が取り付けられ、排水ポンプランナー７と洗浄ポンプランナー６の抜け止めを行なう。回転軸８は、小径部７８の奥側部位に偏平部８０を有する。この偏平部８０は、洗浄ポンプランナー６に対応するところまで設ける。排水ポンプランナー７に対応するところには、平部８０を設けない。偏平部８０が洗浄ポンプランナー６に対応するところだけで済み、偏平にするフライス加工個所を少なくすることができる。
【００３２】
排水ポンプランナー７は、回転軸８の偏平部８０に洗浄ポンプランナー６の回り止め偏平部７７が合わさって回転軸８に対する回り止めが行なわれる。
【００３３】
洗浄ポンプランナー６の軸支持筒２７に凹み８１、排水ポンプランナー７の中央ボス部４４に凸部８２を設ける。この凸部８２と凹み８１が嵌り合って洗浄ポンプランナー６と排水ポンプランナー７が相互に回り止めされる。この相互の回り止めを介して洗浄ポンプランナー６も排水ポンプランナー７と同様に回転軸８は回り止めされるのである。
【図面の簡単な説明】
【００３４】
【図１】本発明の実施形態に係わるもので、洗浄兼排水ポンプの縦断面図。
【図２】本発明の実施形態に係わるもので、排水ポンプと電動機の部分組み合わせを示す図。
【図３】本発明の実施形態に係わるもので、排水ポンプと電動機の部分組み合わせで排水ポンプが外された状態を示す図。
【図４】本発明の実施形態に係わるもので、排水ポンプの排水ポンプケーシングと排水ポンプランナーを軸方向から見た図。
【図５】本発明の実施形態に係わるもので、排水ポンプの排水ポンプケーシングと排水ポンプランナーを軸方向から見た斜視図。
【図６】本発明の実施形態に係わるもので、排水ポンプランナーが外された排水ポンプケーシングの斜視図。
【図７】本発明の実施形態に係わるもので、図１のＡ部拡大図。
【図８】本発明の他の実施形態に係わるもので、洗浄ポンプランナーおよび排水ランナーと回転軸の回り止め構成を示す図。
【図９】本発明の他の実施形態に係わるもので、洗浄ポンプランナーと排水ランナーの回り止め構成を示す図。
【符号の説明】
【００３５】
９…洗浄ポンプケーシング、６…洗浄ポンプランナー、１…洗浄ポンプ、３…電動機、２…排水ポンプ、４０…排水ポンプケーシング、２２…隔壁板、６０…吸い込み口、６１…排出口、６２…吸い込み穴、６３…排出穴、４３…円盤状の羽根基板、４４…中央ボス部、４５…複数の遠心羽根。
【図１】
2005270245.tif 000003
【図２】
2005270245.tif 000004
【図３】
2005270245.tif 000005
【図４】
2005270245.tif 000006
【図５】
2005270245.tif 000007
【図６】
2005270245.tif 000008
【図７】
2005270245.tif 000009
【図８】
2005270245.tif 000010
【図９】
2005270245.tif 000011